(57)【要約】【課題】機能の拡張に対応していない照明器具にも、ユーザが機能を選択的に付加することができ当該機能を安定的に使用できる照明用光源を提供する。【解決手段】機能付加装置が接続される照明用光源１００であって、発光部と、機能付加装置から前記発光部の発光の制御に用いられる制御信号を受信するために機能付加装置が着脱可能に接続される第一接続部１９０と、発光部からの光を取り出す発光面と、発光面の周囲に設けられた側面と、発光面と反対側の面である設置面とを有し、発光部を収納する本体部とを備え、第一接続部１９０は、本体部の側面又は本体部の設置面に設けられる。【選択図】図１Ａ
2014220160.tif 000002
【特許請求の範囲】
【請求項１】
発光部と、
外部装置から前記発光部の発光の制御に用いられる制御信号を受信するために前記外部装置が接続される第一接続部と、
前記発光部からの光を取り出す発光面と、前記発光面の周囲に設けられた側面と、前記発光面と反対側の面である設置面とを有し、前記発光部を収納する本体部とを備え、
前記第一接続部は、前記本体部の前記側面又は前記本体部の前記設置面に設けられる
照明用光源。
【請求項２】
さらに、開閉可能なシャッター部を備え、
前記シャッター部が閉鎖されることによって、前記第一接続部は、前記シャッター部に覆われ、前記シャッター部が開放されることによって、前記第一接続部は、前記外部装置が接続可能な状態となる
請求項１に記載の照明用光源。
【請求項３】
前記照明用光源は、さらに、前記第一接続部に接続された前記外部装置から受信した前記制御信号に応じて前記発光部の発光を制御する制御部を備え、
前記シャッター部は、さらに、前記シャッター部が開放された状態において前記制御部と前記第一接続部とを電気的に接続し、前記シャッター部が閉鎖された状態において、前記制御部と前記第一接続部との電気的接続を解除するスイッチを備える
請求項２に記載の照明用光源。
【請求項４】
前記第一接続部は、前記本体部の前記側面の一部である第一の面に設けられ、
前記照明用光源は、さらに、前記第一の面を含み、前記第一の面の向きを変更するための可動部を備える
請求項１に記載の照明用光源。
【請求項５】
前記本体部の前記側面には、前記本体部の内方に向かって凹んだ凹部が設けられ、
前記第一接続部は、前記本体部の前記側面のうち前記凹部を形成する面に設けられる
請求項１に記載の照明用光源。
【請求項６】
前記凹部の形状は、前記外部装置の外形に対応した形状である
請求項５に記載の照明用光源。
【請求項７】
前記外部装置は、前記第一接続部にケーブルを介して接続され、
前記照明用光源は、さらに、前記本体部の前記側面に、前記ケーブルを通すための溝を備える
請求項１〜６のいずれか１項に記載の照明用光源。
【請求項８】
前記外部装置は、前記第一接続部にケーブルを介して接続され、
前記照明用光源は、さらに、前記本体部の前記発光面の周縁部分に、前記ケーブルを保持するケーブル保持部を備える
請求項１〜７のいずれか１項に記載の照明用光源。
【請求項９】
請求項１〜８のいずれか１項に記載の照明用光源を備える
照明装置。
【発明の詳細な説明】
【技術分野】
【０００１】
本発明は、照明用光源に関し、特に、機能の拡張が可能な照明用光源に関する。
【背景技術】
【０００２】
発光ダイオード（ＬＥＤ：Ｌｉｇｈｔ  Ｅｍｉｔｔｉｎｇ  Ｄｉｏｄｅ）等の固体発光素子は、小型、高効率及び長寿命であることから、様々な製品の光源として期待されている。その中でも、近年、ＬＥＤを用いた照明用光源の研究開発が進められている。上記のような照明用光源は、照明器具に取り付けられ、照明装置として動作する。
【０００３】
一方、照明器具に機能拡張端子を設け、機能拡張端子に機能プラグを取り付けることで照明器具に機能を付加する技術が知られている（例えば、特許文献１参照）。
【先行技術文献】
【特許文献】
【０００４】
【特許文献１】特開２００２−１１０３７６号公報
【発明の概要】
【発明が解決しようとする課題】
【０００５】
上記特許文献１に記載の技術では、照明器具に機能を付加する構成であるため、機能拡張端子が設けられていない照明器具に機能を付加することはできない。また、機能拡張端子の位置によっては、機能拡張端子に異物が付着したり、機能プラグが脱落するなど、付加された機能を安定的に使用できない場合がある。
【０００６】
本発明は、機能の拡張に対応していない照明器具にも、ユーザが機能を選択的に付加することができ、当該機能を安定的に使用できる照明用光源等を提供することを目的とする。
【課題を解決するための手段】
【０００７】
上記目的を達成するために、本発明の一態様に係る照明用光源は、発光部と、外部装置から前記発光部の発光の制御に用いられる制御信号を受信するために前記外部装置が接続される第一接続部と、前記発光部からの光を取り出す発光面と、前記発光面の周囲に設けられた側面と、前記発光面と反対側の面である設置面とを有し、前記発光部を収納する本体部とを備え、前記第一接続部は、前記本体部の前記側面又は前記本体部の前記設置面に設けられる。
【０００８】
また、さらに、開閉可能なシャッター部を備え、前記シャッター部が閉鎖されることによって、前記第一接続部は、前記シャッター部に覆われ、前記シャッター部が開放されることによって、前記第一接続部は、前記外部装置が接続可能な状態となってもよい。
【０００９】
また、前記照明用光源は、さらに、前記第一接続部に接続された前記外部装置から受信した前記制御信号に応じて前記発光部の発光を制御する制御部を備え、前記シャッター部は、さらに、前記シャッター部が開放された状態において前記制御部と前記第一接続部とを電気的に接続し、前記シャッター部が閉鎖された状態において、前記制御部と前記第一接続部との電気的接続を解除するスイッチを備えてもよい。
【００１０】
また、前記第一接続部は、前記本体部の前記側面の一部である第一の面に設けられ、前記照明用光源は、さらに、前記第一の面を含み、前記第一の面の向きを変更するための可動部を備えてもよい。
【００１１】
また、前記本体部の前記側面には、前記本体部の内方に向かって凹んだ凹部が設けられ、前記第一接続部は、前記本体部の前記側面のうち前記凹部を形成する面に設けられてもよい。
【００１２】
また、前記凹部の形状は、前記外部装置の外形に対応した形状であってもよい。
【００１３】
また、前記外部装置は、前記第一接続部にケーブルを介して接続され、前記照明用光源は、さらに、前記本体部の前記側面に、前記ケーブルを通すための溝を備えてもよい。
【００１４】
また、前記外部装置は、前記第一接続部にケーブルを介して接続され、前記照明用光源は、さらに、前記本体部の前記発光面の周縁部分に、前記ケーブルを保持するケーブル保持部を備えてもよい。
【００１５】
また、本発明の一態様に係る照明装置は、上記いずれかの態様の照明用光源を備える。
【発明の効果】
【００１６】
本発明によれば、機能の拡張に対応していない照明器具にも、ユーザが機能を選択的に付加することができ、当該機能を安定的に使用できる。
【図面の簡単な説明】
【００１７】
【図１Ａ】実施の形態１に係るＬＥＤユニットを光照射側から見たときの斜視図である。
【図１Ｂ】機能付加装置が接続されたＬＥＤユニットを光照射側から見たときの斜視図である。
【図２】実施の形態１に係るＬＥＤユニットの側面図及び断面図である。
【図３】実施の形態１に係るＬＥＤユニット及び機能付加装置の機能ブロック図である。
【図４】実施の形態１に係るＬＥＤユニットを備える照明装置の断面図である。
【図５】ケーブル保持部を備えるＬＥＤユニットの側面図である。
【図６】シャッター部を備えるＬＥＤユニットの斜視図である。
【図７】第一接続部が本体部の設置面に設けられたＬＥＤユニットの斜視図である。
【図８】第一接続部が本体部の設置面に設けられたＬＥＤユニットを備える照明装置の断面図である。
【図９】ケーブルを備えない機能付加装置が接続されるＬＥＤユニットを示す斜視図である。
【図１０】第一接続部が設けられる面の向きを変更可能なＬＥＤユニットの斜視図である。
【発明を実施するための形態】
【００１８】
以下、本発明の実施の形態に係る照明用光源、及び機能付加装置について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１９】
以下の実施の形態では、照明用光源の一例である、ダウンライトやスポットライト等のＬＥＤ照明装置に用いられるＬＥＤユニット（ＬＥＤランプ）、及びこれに外付けされる機能付加装置（外部装置）について説明する。なお、各図は模式図であり、必ずしも厳密に図示されたものではない。また、各図において、実質的に同一の構成に対しては同一の符号を付しており、重複する説明は省略又は簡略化する。
【００２０】
（実施の形態１）
図１Ａは、実施の形態１に係るＬＥＤユニットを光照射側から見たときの斜視図であり、図１Ｂは、機能付加装置が接続されたＬＥＤユニットを光照射側から見たときの斜視図である。
【００２１】
図１Ａ及び図１Ｂに示すように、実施の形態１に係るＬＥＤユニット１００は、全体形状が円盤状又は扁平状であるフラット薄形構造のＬＥＤユニット１００であって、透光性カバー１１０と筐体１２０と支持台１３０とによって本体部が構成されている。ＬＥＤユニット１００の口金構造としては、例えば、ＧＸ５３口金又はＧＨ７６ｐ口金が採用されている。
【００２２】
ＬＥＤユニット１００は、所定の回転方向に回転させることによって照明器具に取り付けられる。例えば、図１Ａに示すように、ランプ軸Ｊを中心にＬＥＤユニット１００を回転方向Ｒに回転させることで、ＬＥＤユニット１００を照明器具に取り付けることができる。また、ランプ軸Ｊを中心に回転方向Ｒと反対の方向にＬＥＤユニット１００を回転させることで、ＬＥＤユニット１００を照明器具から取り外すことができる。
【００２３】
なお、実施の形態１において、光照射側とは、光が出射する側であって、ＬＥＤユニット１００を基準にして、ＬＥＤユニット１００から光が取り出される側（光照射側）である。図１Ａ及び図１Ｂでは、光照射側が上側となるように図示されている。
【００２４】
図１Ａに示されるように、ＬＥＤユニット１００は、筐体１２０の側面に、第一接続部１９０を備える。図１Ｂに示されるように、第一接続部１９０には、機能付加装置２００の第二接続部２１０が接続される。すなわち、ＬＥＤユニット１００には、機能付加装置２００が接続される。
【００２５】
機能付加装置２００は、ＬＥＤユニット１００に接続されることによってＬＥＤユニット１００に機能を付加する装置である。機能付加装置２００は、実施の形態１では、センサ部２５０（機能付加部）によって赤外線を検知し、ＬＥＤユニット１００の点灯及び消灯を制御するための制御信号をＬＥＤユニット１００に送信する。
【００２６】
ＬＥＤユニット１００は、機能付加装置２００が接続されていないときは、通常通り、壁等に設けられたスイッチのＯＮ・ＯＦＦに応じて点灯及び消灯する動作を行う。
【００２７】
ＬＥＤユニット１００は、ユーザによって機能付加装置２００が接続されたときは、赤外線を検知するいわゆる人感センサ付のＬＥＤユニットとして、赤外線の検知後、一定時間点灯した後、自動的に消灯する動作を行う。つまり、機能付加装置２００によって、ＬＥＤユニット１００には、赤外線検知機能が付加される。
【００２８】
次に、実施の形態１に係るＬＥＤユニット１００の詳細構成について、図２を用いて説明する。図２は、実施の形態１に係るＬＥＤユニット１００の側面図及び断面図である。図２の（ａ）は、ＬＥＤユニット１００の側面図、図２の（ｂ）は、ＬＥＤユニット１００の断面図である。なお、図２は、光照射側を下側とした場合の図であり、機能付加装置２００が接続された状態におけるＬＥＤユニット１００の断面図である。
【００２９】
図２に示されるように、実施の形態１に係るＬＥＤユニット１００は、透光性カバー１１０と、筐体１２０と、支持台１３０と、ＬＥＤモジュール１４０と、反射板１５０と、回路基板１６０（駆動回路）と、熱伝導シート１７０と、接続ピン１８０と、第一接続部１９０とを備える。
【００３０】
透光性カバー１１０は、ＬＥＤモジュール１４０から放出される光をランプ外部に取り出すために透光性材料によって構成されており、例えば、アクリル（ＰＭＭＡ）やポリカーボネート（ＰＣ）等の樹脂材料を用いて構成されている。透光性カバー１１０は、光拡散性の無い透明構造としてもよいし、光拡散性を持たせた拡散構造としてもよい。例えば、透光性カバー１１０の内面にシリカや炭酸カルシウム等の光拡散材を含有する樹脂や白色顔料等を塗布することによって乳白色の光拡散膜を形成したり、透光性カバー１１０に微小凹凸を形成したりすることによって、光拡散機能を有する透光性カバー１１０を構成することができる。
【００３１】
また、透光性カバー１１０は、筐体１２０の内部に配置されたＬＥＤモジュール１４０や回路基板１６０を保護するために、第１開口部１２０ａを塞ぐようにして筐体１２０に固定されている。
【００３２】
筐体１２０は、ＬＥＤモジュール１４０及び回路基板１６０を収納する平盤状の円筒部材であり、図２の（ｂ）に示すように、光照射側に形成された第１開口部１２０ａと、光照射側とは反対側に形成された第２開口部１２０ｂとを有する。第１開口部１２０ａには、透光性カバー１１０が取り付けられている。
【００３３】
また、筐体１２０は、例えば、３本のネジによって支持台１３０に固定される。筐体１２０は、例えば、ＰＢＴ（ポリブチレンテレフタレート）等の絶縁性樹脂材料によって構成される。なお、筐体１２０は、樹脂製ではなく、金属製であってもよい。
【００３４】
支持台１３０は、回路基板１６０及び筐体１２０を支持する支持部材である。また、支持台１３０は、ＬＥＤモジュール１４０で発生する熱を放熱するヒートシンクとしても機能する。したがって、支持台１３０は、アルミニウム等の金属材料又は熱伝導率の高い樹脂材料によって構成するとよい。図２の（ｂ）に示すように、支持台１３０は、筐体１２０の第２開口部１２０ｂを塞ぐように配置される。なお、以下の実施の形態１では、支持台１３０は、筐体１２０の一部として説明される。
【００３５】
また、支持台１３０は、熱伝導シート１７０を介して照明器具に接続される。支持台１３０は、筐体１２０及び接続ピン１８０とともに照明器具に接続される所定の口金として機能する。ＬＥＤユニット１００は、照明器具のソケットに適合する規格化された口金構造を有している。このような口金構造としては、上述のとおり、例えばＧＸ５３口金又はＧＨ７６ｐ口金がある。
【００３６】
なお、上記、透光性カバー１１０、筐体１２０、及び支持台１３０は、本体部に相当する。つまり、本体部は、発光部１４２からの光を取り出す発光面（透光性カバー１１０を含む、光照射側の面）と、発光面の周囲に設けられた側面と、発光面と反対側の面である設置面（支持台１３０を含む、照明器具に取り付けられる側の面）とを有し、後述する制御部、及び発光部１４２を収納する。
【００３７】
ＬＥＤモジュール１４０は、ＬＥＤユニット１００における光源であり、白色等の所定の色（波長）の光を放出する。ＬＥＤモジュール１４０（基板１４１）は、支持台１３０に載置されて支持台１３０に固定される。例えば、基板１４１と支持台１３０との間に接着剤を塗布することによってＬＥＤモジュール１４０と支持台１３０とを固着することができる。
【００３８】
ＬＥＤモジュール１４０は、回路基板１６０から供給される電力によって発光する。ＬＥＤモジュール１４０から放出された光は、透光性カバー１１０を透過してランプ外部に出射する。
【００３９】
図２の（ｂ）に示すように、ＬＥＤモジュール１４０は、例えば、基板１４１と発光部１４２とによって構成することができる。
【００４０】
ＬＥＤモジュール１４０は、ベアチップ（ＬＥＤ、発光素子）が基板１４１上に直接実装された、いわゆるＣＯＢ（Ｃｈｉｐ  Ｏｎ  Ｂｏａｒｄ）構造である。
【００４１】
発光部１４２は、複数のＬＥＤと、複数のＬＥＤを封止する封止部材とからなる。ＬＥＤは、発光素子の一例であって、所定の電力により発光する半導体発光素子である。実施の形態１におけるＬＥＤは、単色の可視光を発するベアチップであり、例えば、通電されれば青色光を発する青色発光ＬＥＤチップを用いることができる。ＬＥＤは、例えば、基板１４１の主面上において、複数列に又はマトリクス状に複数個実装される。
【００４２】
封止部材は、例えば樹脂からなり、複数のＬＥＤを一括封止するように形成される。この場合、ＬＥＤの素子列毎に一括封止するように直線状に封止部材を形成してもよいし、あるいは、基板１４１上の全てのＬＥＤを一括封止するように平面視形状が円形状又は矩形状に形成してもよい。
【００４３】
封止部材は、主として透光性材料からなるが、ＬＥＤの光の波長を所定の波長に変換する必要がある場合には、透光性材料に波長変換材が混入される。実施の形態１における封止部材は、波長変換材として蛍光体を含み、ＬＥＤが発する光の波長（色）を変換する波長変換部材である。このような封止部材としては、例えば、蛍光体として蛍光体粒子を含有する絶縁性の樹脂材料（蛍光体含有樹脂）によって構成することができる。蛍光体粒子は、ＬＥＤが発する光によって励起されて所望の色（波長）の光を放出する。
【００４４】
封止部材を構成する透光性樹脂材料としては、例えば、シリコーン樹脂を用いることができる。また、封止部材に含有させる蛍光体粒子としては、例えば、ＬＥＤが青色光を発光する青色発光ＬＥＤである場合、白色光を得るために、例えばＹＡＧ系の黄色蛍光体粒子を用いることができる。これにより、ＬＥＤが発した青色光の一部は、封止部材に含まれる黄色蛍光体粒子によって黄色光に波長変換される。そして、黄色蛍光体粒子に吸収されなかった青色光と黄色蛍光体粒子によって波長変換された黄色光とが混ざって封止部材から白色光となって出射される。
【００４５】
基板１４１としては、セラミックス基板、樹脂基板又はメタルベース基板を用いることができる。基板１４１の形状は、平面視形状が矩形状のものを用いることができるが、六角形や八角形等の多角形状又は円形状のものも用いてもよい。
【００４６】
透光性カバー１１０とＬＥＤモジュール１４０との間には、反射板１５０（反射鏡）が配置されている。反射板１５０は、反射機能を有する反射部材であって、ＬＥＤモジュール１４０の光が入射する開口である入射口と、入射口から入射した光が反射板１５０から出射する開口である出射口とを有する。実施の形態１における反射板１５０は、内径が入射口から出射口に向かって漸次大きくなるように構成された円錐台筒状である。具体的には、反射板１５０は、ラッパ状（漏斗状）である。
【００４７】
入射口は、ＬＥＤモジュール１４０の発光領域（発光部１４２）を囲むように構成されている。また、出射口の開口面積は、透光性カバー１１０の平面部の面積とほぼ同じである。
【００４８】
また、反射板１５０の内面は、ＬＥＤモジュール１４０からの光を反射する反射面となっている。反射面は、入射口から入射した光を反射させて出射口から出射するように構成されている。反射板１５０によってＬＥＤモジュール１４０の光は透光性カバー１１０に導かれる。
【００４９】
反射板１５０は、例えば、絶縁性を有する硬質の白色樹脂材料によって構成することができる。なお、反射率を向上させるために、樹脂製の反射板１５０の内面に、銀やアルミニウム等の金属材料からなる金属蒸着膜（金属反射膜）をコーティングすることによって反射面を構成しても構わない。また、樹脂材料を用いずに、反射板１５０全体をアルミニウム等の金属材料を用いて成形してもよい。
【００５０】
回路基板１６０は、金属配線がパターン形成されたプリント基板である。図２の（ｂ）に示すように、実施の形態１における回路基板１６０は、円形状の開口が形成された円環状（ドーナツ形状）の基板であり、筐体１２０の内方かつ反射板１５０の外方に配置されている。回路基板１６０は、例えば、回路基板１６０と筐体１２０とがねじ止めされることで筐体１２０に保持される。
【００５１】
回路基板１６０の光照射側の主面には、ＬＥＤモジュール１４０（発光部１４２）を発光させるための駆動回路（図示せず）が設けられる。例えば、駆動回路は、接続ピン１８０から供給される交流電力（例えばＡＣ１００Ｖの商用電源からの電力）を直流電力に変換し、当該直流電力をＬＥＤモジュール１４０に供給する。なお、駆動回路（回路基板１６０）に供給される電力は、交流電力ではなく、直流電力であってもよい。
【００５２】
駆動回路を構成する回路素子（図示せず）としては、例えば、電解コンデンサやセラミックコンデンサ等の容量素子、抵抗素子、コイル素子、チョークコイル（チョークトランス）、ノイズフィルタ、ダイオード又は集積回路素子等の半導体素子等である。回路素子の多くは、回路基板１６０の光照射側の主面に実装されている。
【００５３】
回路基板１６０の光照射側の主面には、第一接続部１９０が設けられる。第一接続部１９０は、機能付加装置２００から制御信号を受信するために機能付加装置２００が着脱自在に接続されるコネクタである。ここで、着脱自在とは、ＬＥＤユニット１００の出荷後に、ユーザによって事後的に機能付加装置２００が取り付け可能なことを意味する。
【００５４】
第一接続部１９０は、ＵＳＢ（Ｕｎｉｖｅｒｓａｌ  Ｓｅｒｉａｌ  Ｂｕｓ）準拠のコネクタ、ＨＤＭＩ（登録商標）（Ｈｉｇｈ  Ｄｅｆｉｎｉｔｉｏｎ  Ｍｕｌｔｉｍｅｄｉａ  Ｉｎｔｅｒｆａｃｅ）準拠のコネクタ、Ｓ−ＡＴＡ（Ｓｅｒｉａｌ  Ａｄｖａｎｃｅｄ  Ｔｅｃｈｎｏｌｏｇｙ  Ａｔｔａｃｈｍｅｎｔ）準拠のコネクタなど標準化されたコネクタであってもよいし、専用のコネクタであってもよい。すなわち、第一接続部１９０は、機能付加装置２００の第二接続部２１０と着脱自在に接続され、機能付加装置２００からＬＥＤユニット１００に制御信号の送信ができるのであれば、どのような形状であってもよい。
【００５５】
熱伝導シート１７０は、支持台１３０を介して伝達されるＬＥＤモジュール１４０からの熱を照明器具側に逃がすためのシートである。具体的には、熱伝導シート１７０は、熱伝導率の高い樹脂製シートであり、例えばシリコンシート又はアクリルシートを用いることができる。
【００５６】
接続ピン１８０（第三接続部、口金ピン）は、導電ピンであり、ＬＥＤモジュール１４０を発光させるための電力をランプ外部から受電する機能を有する。つまり、接続ピン１８０は、電源供給用の電気接続ピンである。
【００５７】
例えば、一対の接続ピン１８０によって、照明器具から所定の交流電力を受電する。各接続ピン１８０と回路基板１６０とはリード線（図示せず）によって接続されており、一対の接続ピン１８０で受電した交流電圧は、リード線を介して回路基板１６０（駆動回路）に供給される。なお、一対の接続ピン１８０は交流電圧を受電するが、異なる２つの直流電圧を受電するように構成してもよい。
【００５８】
また、接続ピン１８０は、ＬＥＤユニット１００を照明器具に取り付けるための取り付け部としても機能する。具体的には、接続ピン１８０が照明器具のソケットに接続されることによって、ＬＥＤユニット１００が照明器具に保持される。
【００５９】
接続ピン１８０は、筐体１２０の光照射側の面と反対側の面から外部に突出するように構成されている。接続ピン１８０は、例えば、筐体１２０に設けられた貫通孔に圧入されて固定されている。
【００６０】
なお、接続ピン１８０は、電源供給用として２本設けられているが、電源供給用の接続ピンに加えて、調光信号等の電気信号を受けるための信号用の電気接続ピン、あるいは、その他の機能を有する接続ピンを備えていてもよい。
【００６１】
なお、機能付加装置２００は、上述の図１Ｂに示されるように、第二接続部２１０と、樹脂製の筐体２２０と、センサ部２５０と、ケーブル２５５とを備える。機能付加装置２００の詳細については、図３を用いて後述する。
【００６２】
次に、実施の形態１に係るＬＥＤユニット１００及び機能付加装置２００の機能構成等について、図３及び図４を用いて説明する。図３は、実施の形態１に係るＬＥＤユニット１００及び機能付加装置２００の機能ブロック図である。図４は、実施の形態１に係るＬＥＤユニット１００を備える照明装置の断面図である。
【００６３】
まず、ＬＥＤユニット１００について説明する。
【００６４】
図３に示されるように、ＬＥＤユニット１００は、発光部１４２と、電源変換部１９１と、第一接続部１９０と、制御部１９２とを備える。制御部１９２は、電源部１９３と、電力供給部１９４とを有する。
【００６５】
発光部１４２は、制御部１９２の電力供給部１９４からの供給される直流電力により発光する発光部である。
【００６６】
電源変換部１９１は、照明器具３００から供給される交流電力を直流電力に変換して制御部１９２に出力する。ここで、ＬＥＤユニット１００は、図４に示されるように部屋の天井に設けられた照明器具３００（反射板３１０及びソケット３２０）に取り付けられる。電源変換部１９１は、接続ピン１８０が照明器具３００の接続孔３２１（第四接続部）に挿入されることによって、接続ピン１８０を介して照明器具３００から電力の供給を受ける。
【００６７】
電源変換部１９１は、具体的には、例えば、上述の駆動回路に含まれる、４つのダイオードで構成されるブリッジ型全波整流回路であるが、ＡＣ−ＤＣコンバータＩＣなど、どのような態様であってもよい。
【００６８】
電源部１９３は、電源変換部１９１から受けた直流電力を用いて制御部１９２を動作させる。電源部１９３は、具体的には、例えば、上述の駆動回路に含まれる電源回路であるが、ＤＣ−ＤＣコンバータＩＣなど、どのような態様であってもよい。
【００６９】
電力供給部１９４は、発光部１４２に電力を供給する。電力供給部１９４は、例えば、上記駆動回路に含まれる、インバータ回路とこれに接続される整流回路である。しかしながら、電力供給部１９４は、例えば、制御信号に応じてスイッチング制御状態を変更し、発光部１４２への電力を調整するチョッパ制御回路など、どのような態様であってもよい。チョッパ制御回路とは、具体的には、ＰＷＭ（Ｐｕｌｓｅ  Ｗｉｄｔｈ  Ｍｏｄｕｌａｔｉｏｎ）回路や、ＰＦＭ（Ｐｕｌｓｅ  Ｆｒｅｑｕｅｎｃｙ  Ｍｏｄｕｌａｔｉｏｎ）回路などである。制御部１９２が、発光部１４２の点灯及び消灯のみを制御するような場合は、制御信号に応じて発光部１４２への電力の供給の有無を切り替えるスイッチであってもよい。
【００７０】
制御部１９２は、第一接続部１９０に接続された機能付加装置２００から受信した制御信号に応じて発光部１４２の発光を制御する。制御部１９２は、例えば、制御信号に応じて、発光部１４２の点灯及び消灯を制御する。制御部１９２は、具体的には、上述の駆動回路に含まれる、制御信号に応じて動作する回路であるが、プロセッサ等の集積回路の一機能として実現されてもよく、どのような態様であってもよい。
【００７１】
実施の形態１では、制御部１９２の電力供給部１９４は、制御信号に応じて発光部１４２に供給する電力の量を制御することにより発光部１４２の発光を制御する。実施の形態１では、具体的には、制御部１９２の電力供給部１９４は、制御信号に基づいて発光部１４２の点灯及び消灯を制御する。
【００７２】
なお、図３において破線で示されるように、電力供給部１９４ではなく、電源部１９３が制御信号に応じて電源変換部１９１から受電する電力量、若しくは電力供給部１９４へ給電する電力量を制御することにより発光部１４２の発光を制御してもよい。具体的には、電力供給部１９４が、電源部１９３が給電する参照電圧に応じて発光部１４２への出力を変動させるＩＣなどである場合、電源部１９３の入出力を調整することで発光部１４２の発光を制御することができる。電源部１９３が、発光部１４２の点灯及び消灯のみを制御するような場合は、電源部１９３は、制御信号に応じて受電する電力の有無を切り替えるスイッチであってもよい。
【００７３】
第一接続部１９０は、機能付加装置２００のセンサ部２５０から制御信号を受信するために機能付加装置２００の第二接続部２１０が着脱自在に接続されるコネクタである。すなわち、第一接続部１９０は、機能付加装置２００のセンサ部２５０から制御信号を受信するための端子を有する。また、第一接続部１９０は、電源変換部１９１が出力する直流電力を機能付加装置２００に供給するための第一の端子を有する。第一の端子を介して供給される電力によって、機能付加装置２００は動作する。
【００７４】
次に、機能付加装置２００について説明する。
【００７５】
図３に示されるように、機能付加装置２００は、第二接続部２１０と、センサ部２５０とを備える。
【００７６】
第二接続部２１０は、第一接続部１９０の形状に対応する形状のコネクタであり、第一接続部１９０に接続される。機能付加装置２００（センサ部２５０）は、第一接続部１９０が有する第一の端子を介して供給される電力によって動作する。なお、機能付加装置２００は、バッテリーを内蔵することにより、ＬＥＤユニット１００から電力供給を受けずに動作する構成であってもよい。
【００７７】
センサ部２５０は、赤外線を検出する、いわゆる人感センサモジュールである。なお、センサ部２５０は、赤外線を検出する構成に限定されない。例えば、センサ部２５０は、センサ部２５０の周辺の照度、音、温度などを検出してもよい。この場合、センサ部２５０には、既存の照度センサ、音センサ、温度センサなどが適用できる。また、センサ部２５０の振動、ユーザのモーション（ユーザのジェスチャ）などを検出してもよい。例えば、ＬＥＤユニット１００が移動体（車など）に設けられるような場合、センサ部２５０は、移動体の移動によるセンサ部２５０の振動を検出する。つまり、機能付加装置２００は、検出対象を検出するセンサ装置であってもよい。
【００７８】
なお、モーションの検出は、例えば、センサ部２５０に反射型のセンサ（モーションセンサ）を適用することによって実現可能である。センサ部２５０が反射型のセンサである場合、センサ部２５０は、ユーザに対して光を投射し、その反射光によりユーザまでの距離を測定する。つまり、センサ部２５０は、ユーザが決められた距離内にいるかを検出することができる。ユーザが上記決められた距離内（検出範囲）に手を出し入れするなどすれば、センサ部２５０は、これをモーションとして検出することができる。
【００７９】
なお、図４に示されるように、第二接続部２１０とセンサ部２５０とは、ケーブル２５５によって電気的に接続されている。すなわち、機能付加装置２００は、第一接続部１９０にケーブル２５５を介して接続される。
【００８０】
実施の形態１では、センサ部２５０は、赤外線の検出結果に応じた制御信号をＬＥＤユニット１００に出力する。これにより、ＬＥＤユニット１００は、センサ部２５０が赤外線を検出後、一定期間点灯し、その後消灯する。すなわち、ＬＥＤユニット１００は、いわゆる人感センサ付の照明用光源として動作する。
【００８１】
以上、説明したようにＬＥＤユニット１００は、第一接続部１９０に機能付加装置２００の第二接続部２１０が接続される。機能付加装置２００によって、ＬＥＤユニット１００には、赤外線検知機能が付加される。よって、ユーザは、機能の拡張に対応していない照明器具３００を有する照明装置に、機能を選択的に付加することができる。
【００８２】
照明器具３００は、図４に示されるように部屋の天井等に設置され、ＬＥＤユニット１００と合わせて照明装置４００を構成する。したがって、従来は、照明器具３００が機能の拡張に対応していない場合は、照明装置４００の機能を拡張するために、業者に依頼して照明器具３００自体を交換する工事が必要であった。
【００８３】
しかしながら、ＬＥＤユニット１００によれば、ユーザは、ＬＥＤユニット１００を照明器具３００に取り付け、なおかつユーザが付加したい機能を有する機能付加装置２００を選択してＬＥＤユニット１００に接続することで簡単に照明装置４００の機能を拡張することができる。すなわち、ＬＥＤユニット１００によれば、機能付加の自由度の高い照明装置４００が実現される。
【００８４】
また、ＬＥＤユニット１００では、機能付加装置２００が外付けされるため、センサ部２５０（機能付加部）が内蔵されるＬＥＤユニットに比べ、駆動回路と、センサ部２５０とを離して設置することができる。これにより、機能付加装置２００が、駆動回路に起因する発熱及びノイズの影響を受けにくいため、ＬＥＤユニット１００では、機能付加装置２００が付加する機能を安定的に使用することができる。
【００８５】
また、図４に示されるように、通常、ＬＥＤユニット１００は、発光面が下側になるように照明装置に取り付けられる。よって、第一接続部１９０が本体部の発光面に設けられるような場合は、機能付加装置２００が筐体２２０及びセンサ部２５０の重みによって抜け落ちる危険性がある。
【００８６】
しかしながら、実施の形態１のように第一接続部１９０が本体部の側面に設けられることによって、第二接続部２１０の接続方向は、鉛直方向と交差し、第二接続部２１０は、第一接続部１９０に引っかかる。このため、機能付加装置２００が筐体２２０及びセンサ部２５０の重みによって脱落する危険性を下げることができる。
【００８７】
また、図４に示されるように、通常、ＬＥＤユニット１００の本体部の側面及び設置面は、照明器具３００によって覆われる。よって、ＬＥＤユニット１００の本体部の発光面のみが外部に露出しており、ＬＥＤユニット１００の本体部の発光面のみが外部から接触可能である。
【００８８】
よって、第一接続部１９０が本体部の発光面に設けられ、機能付加装置２００が接続されていない場合は、ユーザが誤って第一接続部１９０に触れてしまい、感電するような危険性がある。また、このような場合は、第一接続部１９０にホコリ等の異物が詰まる危険性もある。
【００８９】
しかしながら、実施の形態１のように第一接続部１９０が本体部の側面に設けられることによって、機能付加装置２００が接続されていない場合、第一接続部１９０は、照明器具３００に覆われる。したがって、ユーザが誤って第一接続部１９０に触れてしまい、感電するような危険性は低い。また、第一接続部１９０にホコリ等の異物が詰まる危険性も低く、照明装置４００を、機能付加装置２００によって付加された機能に基づいて安定的に動作させることができる。
【００９０】
なお、図４では、第一接続部１９０に第二接続部２１０を接続した場合、本体部の側面から第二接続部２１０が突出する。このような場合、従来の照明器具には、機能付加装置２００が接続されたＬＥＤユニット１００を取り付けられない可能性がある。よって、第二接続部２１０が本体部の側面よりも本体部の内方に位置するように、本体部の側面に第二接続部２１０の形状に対応した凹部を設け、当該凹部に第一接続部１９０を設けてもよい。
【００９１】
また、上記の説明では、機能付加装置２００は、第一接続部１９０にケーブル２５５を介して接続されるため、ケーブル２５５が、ＬＥＤユニット１００からの光を遮光してしまう可能性がある。よって、このように、ＬＥＤユニット１００からの光を遮光してしまうことを防ぐために、ＬＥＤユニット１００は、さらに、ケーブル２５５を保持するケーブル保持部を備えてもよい。
【００９２】
図５は、ケーブル保持部を備えるＬＥＤユニット１００の側面図である。
【００９３】
図５に示されるＬＥＤユニット１００は、本体部の発光面の周縁部分に、ケーブル２５５を保持するケーブル保持部１７５を備える。図５に示されるケーブル保持部１７５は、発光面の中心から外側に向けて突出する爪状の部材であるが、ケーブル保持部１７５は、ケーブル２５５を保持できればどのような態様であってもよい。
【００９４】
図５に示されるように、ケーブル保持部１７５がケーブル２５５を保持することにより、ＬＥＤユニット１００では、ケーブル２５５が発光面からの光を遮ることを防止することができる。
【００９５】
また、ＬＥＤユニット１００は、第一接続部１９０を覆い、開閉可能なシャッター部を備えてもよい。
【００９６】
図６は、シャッター部を備えるＬＥＤユニット１００の斜視図である。
【００９７】
図６の（ａ）に示されるように、シャッター部１３５が閉鎖された状態では、第一接続部１９０は、シャッター部１３５に覆われる。すなわち、図６の（ａ）は、第一接続部１９０に機能付加装置２００を接続することが不可能な状態である。
【００９８】
これに対し、図６の（ｂ）に示されるように、シャッター部１３５が開放されることによって、第一接続部１９０は、ＬＥＤユニット１００の側面から露出する。すなわち、図６の（ｂ）は、第一接続部１９０に機能付加装置２００を接続することが可能な状態である。
【００９９】
以上のようにシャッター部１３５を設けることによって、第一接続部１９０を使用しない場合に簡単に第一接続部１９０を覆うことができる。よって、ユーザが誤って第一接続部１９０に触れてしまい、感電するような危険性や、第一接続部１９０にホコリ等の異物が詰まる危険性をより低減できる。
【０１００】
なお、図６に示されるシャッター部１３５は、ユーザが手動で開閉する構成であるが、弾性部材等を利用することにより、機能付加装置２００が接続されていない場合は、シャッター部１３５が自動的に閉じるような構成であってもよい。
【０１０１】
また、シャッター部１３５は、シャッター部１３５の開閉を検知し、検知結果に応じて制御部１９２と第一接続部１９０とを電気的に接続するスイッチを備えてもよい。この場合、上記スイッチは、シャッター部１３５が開放された状態において制御部１９２と第一接続部１９０とを電気的に接続する。また、上記スイッチは、シャッター部１３５が閉鎖された状態において、制御部１９２と第一接続部１９０との電気的接続を解除する。
【０１０２】
このような構成により、ユーザが誤って第一接続部１９０に触れてしまい、感電するような危険性をさらに低減することができる。
【０１０３】
また、制御部１９２のうち、機能付加装置２００が接続されたときのみ動作する素子を第一素子とした場合、上記スイッチは、シャッター部１３５の開閉を検知し、検知結果に応じて第一素子への電力供給を停止してもよい。
【０１０４】
この場合、上記スイッチは、シャッター部１３５が開放された状態において電源変換部１９１（電源部１９３）から第一素子へ電力を供給する。また、上記スイッチは、シャッター部１３５が閉鎖された状態において、電源変換部１９１（電源部１９３）から第一素子への電力供給を停止する。
【０１０５】
これにより、機能付加装置２００が接続されない場合に、ＬＥＤユニット１００の動作に関与しない第一素子への電力供給を停止することによって、ＬＥＤユニット１００の消費電力を低減することができる。
【０１０６】
なお、上記スイッチは、シャッター部１３５の開閉に代えて、第一接続部１９０への機能付加装置の接続・非接続そのものを検知してもよい。
【０１０７】
なお、実施の形態１では、機能付加装置２００のセンサ部２５０（機能付加部）は、赤外線センサとして説明されたが、このような構成に限定されない。例えば、上述のように、センサ部２５０は、照度センサ、音センサ、振動センサ、モーションセンサ、温度センサなどであってもよい。
【０１０８】
また、センサ部２５０は、リモコンの受光部であってもよい。この場合、ユーザは、ＬＥＤユニット１００及び機能付加装置２００によって照明装置４００のリモコン操作が可能となる。
【０１０９】
また、機能付加装置２００は、機能付加部としてタイマ部を備えてもよい。この場合、タイマ部は、ユーザが設定した時間（時刻）に応じて制御信号を送信する。言い換えれば、タイマ部は、時間を検出する。
【０１１０】
また、機能付加装置２００は、機能付加部として無線モジュールを備えてもよい。この場合、ＬＥＤユニット１００及び機能付加装置２００によって、ユーザは、照明装置４００を無線により制御することができる。
【０１１１】
また、機能付加装置２００は、上記のセンサ部、タイマ部、無線モジュール等のうちの複数の機能付加部を備えてもよい。また、機能付加装置２００は、上述のような機能付加部に加えて、補助的な機能付加部である第二の機能付加部を備えてもよい。例えば、機能付加装置２００は、第二の機能付加部として、揮発性の物質を散布する芳香散布部（例えば、スプレー式の芳香散布部）を備えてもよい。
【０１１２】
この場合、制御部１９２は、例えば、赤外線センサによる検知後、発光部１４２を所定時間点灯し、さらに発光部１４２を消灯するとともに、一定時間、芳香散布を行うなどの制御が可能となる。
【０１１３】
また、実施の形態１では、制御部１９２は、発光部１４２の点灯及び消灯（発光部１４２の点滅）を制御したが、制御部１９２の制御内容は、発光部１４２の点灯及び消灯に限定されない。制御部１９２は、例えば、発光部１４２の調光を制御してもよい。
【０１１４】
制御部１９２は、制御信号に応じて、発光部１４２に含まれるＬＥＤの発光個数を制御することにより、発光部１４２の調光を制御することができる。また、制御部１９２の電力供給部１９４がＰＷＭ回路であれば、制御部１９２の電力供給部１９４は、制御信号に応じて発光部１４２に供給される電圧のパルス幅変調を行い、発光部１４２の調光を制御することができる。
【０１１５】
また、制御部１９２は、発光部１４２の調色を制御してもよい。例えば、発光部１４２が、発光部１４２に含まれるＬＥＤを覆うように設けられる、調色２色性色素を有するネマティック液晶を有する構成であれば、制御部１９２は、制御信号に応じて、当該ネマティック液晶の光の透過率を電圧印加によって制御すればよい。これにより、制御部１９２は、発光部１４２の調色を制御することができる。また、発光部１４２が色温度の異なる複数のＬＥＤを有し、制御部１９２が点灯させるＬＥＤの組み合わせと、点灯させるＬＥＤの個数とを制御することにより、発光部１４２の調色を制御してもよい。
【０１１６】
また、制御部１９２は、発光部１４２の配光を制御してもよい。例えば、発光部１４２に含まれる複数ＬＥＤの配光角を変更するための駆動機構（駆動部）を設け、制御部１９２は、制御信号に応じて駆動部を制御することにより、発光部１４２の配光を制御してもよい。
【０１１７】
また、発光部１４２に含まれるＬＥＤの配光角を変更するための光学部材と、その位置又は角度を変更する駆動機構（駆動部）とを設け、制御部１９２が制御信号に応じて光学部材の駆動部を制御することにより、発光部１４２の配光を制御してもよい。また、発光部１４２が取り付け角度（発光面の角度）の異なる複数のＬＥＤを有し、制御部１９２が、制御信号に応じて、点灯させるＬＥＤの組み合わせと、点灯させるＬＥＤの個数とを制御することによって、発光部１４２の配光を制御してもよい。
【０１１８】
（実施の形態２）
実施の形態１では、第一接続部１９０は、ＬＥＤユニット１００の本体部の側面に設けられたが、第一接続部１９０が設けられる位置は、このような位置に限定されない。第一接続部１９０は、ＬＥＤユニット１００の本体部の設置面に設けられてもよい。
【０１１９】
図７は、第一接続部１９０が本体部の設置面に設けられたＬＥＤユニットの斜視図である。図８は、第一接続部１９０が本体部の設置面に設けられたＬＥＤユニットを備える照明装置の断面図である。なお、図７は、ＬＥＤユニットを設置面側から見た場合の図である。
【０１２０】
図７に示されるように、ＬＥＤユニット１００ａでは、第一接続部１９０は、筐体１２０の設置面に設けられる。これにより、ＬＥＤユニット１００ａを照明器具３００から外した状態でなければ、ユーザは、第一接続部１９０に機能付加装置２００を接続することができない。すなわち、ユーザは、ＬＥＤユニット１００ａが照明器具３００から電力の供給を受けていない状態でしか、機能付加装置２００の着脱ができない。したがって、このような構成により、ユーザが誤って感電するような危険性を極めて低くすることができる。
【０１２１】
また、図８に示される照明装置４００ａのように、通常、ＬＥＤユニット１００の本体部の側面及び設置面は、照明器具３００によって覆われる。よって、第一接続部１９０が設置面に設けられることで、第一接続部１９０にホコリ等の異物が詰まる危険性を低減することができる。
【０１２２】
また、第一接続部１９０が側面に設けられる場合と同様に、機能付加装置２００が筐体２２０及びセンサ部２５０の重みによって脱落する危険性を下げることもできる。
【０１２３】
また、実施の形態１に係るＬＥＤユニット１００が従来の照明器具に取り付けるためには、第一接続部１９０に接続される第二接続部２１０が本体部の側面よりも本体部の内方に位置するように、凹部を設けるなどの構成が必要となる場合がある。これに対し、ＬＥＤユニット１００ａでは、第一接続部１９０が、本体部の側面ではなく設置面に設けられるため、従来の照明器具への適合性が高い。
【０１２４】
また、さらに従来の照明器具への適合性を高めるために、ＬＥＤユニット１００ａの本体部の側面には、ランプ軸Ｊと平行な方向に伸びる溝１４５が設けられている。溝１４５は、機能付加装置２００のケーブル２５５を通すための溝であり、溝の幅がケーブル２５５の径よりも大きいことが望ましい。
【０１２５】
図８に示されるように、機能付加装置２００のケーブル２５５を溝１４５に通すことによって、ケーブル２５５が邪魔になることなくＬＥＤユニット１００ａを照明器具３００に取り付けることができる。すなわち、ＬＥＤユニット１００ａの照明器具への適合性を高めることができる。
【０１２６】
なお、溝１４５は、円周方向に伸びるように設けられてもよい。例えば、溝１４５を本体部の側面に沿って１周するように設けることによって、溝１４５に実施の形態１で説明したケーブル保持部１７５と同様の機能を持たせることもできる。
【０１２７】
（実施の形態３）
上記実施の形態１及び２では、機能付加装置２００は、ケーブル２５５を備えていたが、機能付加装置２００は、ケーブル２５５を備えていなくてもよい。
【０１２８】
図９は、ケーブルを備えない機能付加装置が接続されるＬＥＤユニットを示す斜視図である。
【０１２９】
図９の（ａ）に示されるように、機能付加装置２００ａでは筐体２２０ａに第二接続部２１０が設けられ、機能付加装置２００ａは、ケーブル２５５を備えていない。
【０１３０】
ＬＥＤユニット１００ｂの本体部の側面には、本体部の内方に向かって凹んだ凹部が設けられる。第一接続部１９０は、本体部の側面のうち凹部を形成する面１８５ｂに設けられる。
【０１３１】
上記凹部は、機能付加装置２００の筐体の外形に対応した形状である。言い換えれば、上記凹部は、機能付加装置２００の筐体の外形に沿った形状である。
【０１３２】
図９の（ｂ）に示されるように、機能付加装置２００ｂが、ＬＥＤユニット１００ｂに取り付けられた場合、機能付加装置２００ｂは、ＬＥＤユニット１００ｂの側面から突出しない。これにより、機能付加装置２００ｂが邪魔にならないため、ＬＥＤユニット１００ｂは、従来の照明器具にも問題なく取り付けられる。
【０１３３】
なお、ＬＥＤユニット１００ｂに実施の形態１及び２で説明したようなケーブル２５５を備える機能付加装置２００ｂが取り付けられてもよい。この場合も、ＬＥＤユニット１００ｂの側面に設けられた凹部により、第二接続部２１０がＬＥＤユニット１００ｂの側面から突出しないため、ＬＥＤユニット１００ｂは、従来の照明器具にも問題なく取り付けられる。
【０１３４】
なお、第一接続部１９０は、面１８５ａ及び面１８５ｃに設けられてもよい。すなわち、面１８５ａ及び面１８５ｃは、本体部の側面のうち凹部を形成する面に含まれる。
【０１３５】
また、第一接続部１９０が設けられる面の向きを変更可能な構成であってもよい。
【０１３６】
図１０は、第一接続部１９０が設けられる面の向きを変更可能なＬＥＤユニットの斜視図である。
【０１３７】
図１０に示されるＬＥＤユニット１００ｃは、可動部１６５を備える。可動部１６５は、本体部の側面の一部である、第一接続部１９０が設けられる面１８５ｄ（第一の面）を含み、ユーザの手動によって図１０中の矢印方向に回転可能な構造である。すなわち、ユーザは、第一接続部１９０が設けられる面１８５ｄ（本体部の側面）の向きを変更することができる。
【０１３８】
具体的には、図１０の（ａ）に示されるように、面１８５ｄの向きは、通常は、本体部の側面と同じ向きであるが、図１０の（ｂ）に示されるように、可動部を動かすことによって、面１８５ｄの向きは、本体部の発光面と同じ向きに変更可能である。また、面１８５ｄの向きは、図１０の（ｃ）に示されるように、本体部の内側向きにも変更可能である。すなわち、ＬＥＤユニット１００ｃでは、面１８５ｄ及び第一接続部１９０は、本体部に収納可能である。なお、面１８５ｄの向きが、本体部の設置面と同じ向きに変更可能な構成であってもよい。
【０１３９】
このように、ＬＥＤユニット１００ｃでは、機能付加装置２００が接続されない場合は、第一接続部１９０を本体部に収納し、第一接続部１９０へのホコリ等の異物の侵入を防止することができる。また、このような構成は、ユーザの感電防止にも効果がある。
【０１４０】
また、ＬＥＤユニット１００ｃでは、第一接続部１９０に接続される機能付加装置２００の形状等に応じて、面１８５ｄの向きを変更することが可能である。このため、ＬＥＤユニット１００ｃは、機能付加装置２００及び照明器具３００への適合性が高い。
【０１４１】
（その他）
以上、本実施の形態に係るＬＥＤユニット、及び機能付加装置について、実施の形態に基づいて説明したが、本発明は、これらの実施の形態に限定されるものではない。
【０１４２】
例えば、上記の実施の形態において、発光素子としてＬＥＤを例示したが、半導体レーザ等の半導体発光素子、又は、有機ＥＬ（Ｅｌｅｃｔｒｏ  Ｌｕｍｉｎｅｓｃｅｎｃｅ）や無機ＥＬ等のＥＬ素子等その他の固体発光素子を用いてもよい。
【０１４３】
例えば、発光部として、凹部（キャビティ）を有する樹脂製の容器と、凹部の中に実装されたＬＥＤチップと、凹部内に封入された封止部材（蛍光体含有樹脂）とからなるパッケージ型のＬＥＤ素子（ＳＭＤ型ＬＥＤ素子）を用いてもよい。すなわち、ＬＥＤモジュールは、このようなＬＥＤ素子が、金属配線が形成された基板上に複数個実装されることで構成されたＳＭＤ型のＬＥＤモジュールであってもよい。
【０１４４】
また、上記の実施の形態では、本発明をＬＥＤユニット及びこれを備える照明装置として実現したが、本発明は、他の照明用光源や、照明装置としても実現可能である。例えば、上記の実施の形態では、本発明をフラット薄形構造のＬＥＤユニットに適用する例について説明したが、本発明は、照明用光源である、電球形のＬＥＤランプ、直管形のＬＥＤランプ又は環状のＬＥＤランプとしても実現可能である。
【０１４５】
以上、一つ又は複数の態様に係るＬＥＤユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【０１４６】
１００、１００ａ、１００ｂ、１００ｃ  ＬＥＤユニット（照明用光源）
１１０  透光性カバー（カバー）
１２０、２２０、２２０ａ  筐体
１２０ａ  第１開口部
１２０ｂ  第２開口部
１３０  支持台
１３５  シャッター部
１４０  ＬＥＤモジュール
１４１  基板
１４２  発光部（発光素子）
１４５  溝
１５０、３１０  反射板
１６０  回路基板
１６５  可動部
１７０  熱伝導シート
１７５  ケーブル保持部
１８０  接続ピン（第三接続部）
１８５ａ、１８５ｂ、１８５ｃ、１８５ｄ  面
１９０  第一接続部
１９１  電源変換部
１９２  制御部
１９３  電源部
１９４  電力供給部
２００、２００ａ、２００ｂ  機能付加装置（外部装置）
２１０  第二接続部
２５０  センサ部（機能付加部）
２５５  ケーブル
３００  照明器具
３２０  ソケット
３２１  接続孔（第四接続部）
４００、４００ａ  照明装置
【図１Ａ】
2014220160.tif 000003
【図１Ｂ】
2014220160.tif 000004
【図２】
2014220160.tif 000005
【図３】
2014220160.tif 000006
【図４】
2014220160.tif 000007
【図５】
2014220160.tif 000008
【図６】
2014220160.tif 000009
【図７】
2014220160.tif 000010
【図８】
2014220160.tif 000011
【図９】
2014220160.tif 000012
【図１０】
2014220160.tif 000013